(57)【要約】本発明はワイヤレス充電方法及び端末を開示し、前記方法は、端末が、電源管理チップのサポートしている電圧閾値と、ワイヤレス充電器のサポートしている複数の出力電圧及びそれに対応する出力電流の上限値とを取得することと、端末が、複数の出力電圧と電圧閾値に基づいて、電圧変換係数を確定し、ワイヤレス充電器に充電要求を送信することと、端末が、ワイヤレス充電器より出力されている無線信号の励振によって充電信号を生成し、電圧変換係数と電流変換係数に基づいて、充電信号に対して電圧電流の変換を行い、電源管理チップの入力信号を得ることと、を含み、ここで、充電要求は、要求電圧と要求電流を含み、要求電圧は、電圧閾値と電圧変換係数の逆数との乗積より大きくない最大の出力電圧であり、要求電流は、要求電圧に対応される出力電流の上限値より大きくなく、電流変換係数は電圧変換係数の逆数である。【選択図】図１Ａ
2019527526.tif 000002
【特許請求の範囲】
【請求項１】
ワイヤレス充電方法であって、
端末は、電源管理チップのサポートしている電圧閾値と、ワイヤレス充電器のサポートしている複数の出力電圧及びそれに対応する出力電流の上限値とを取得することと、
端末は、前記複数の出力電圧と電圧閾値に基づいて、電圧変換係数を確定し、前記ワイヤレス充電器に充電要求を送信することと、
端末は、前記ワイヤレス充電器より出力されている無線信号の励振によって充電信号を生成し、前記電圧変換係数と電流変換係数に基づいて、前記充電信号に対して電圧電流の変換を行い、前記電源管理チップの入力信号を得ることと、
を含み、ここで、前記充電要求は、要求電圧と要求電流を含み、前記要求電圧は、前記電圧閾値と前記電圧変換係数の逆数との乗積より大きくない最大の出力電圧であり、前記要求電流は、前記要求電圧に対応される出力電流の上限値より大きくなく、前記充電信号の電圧は前記要求電圧であり、前記電流変換係数は前記電圧変換係数の逆数であること、
を特徴とする前記ワイヤレス充電方法。
【請求項２】
前記端末が、前記複数の出力電圧と電圧閾値に基づいて、電圧変換係数を確定することは、
端末は、前記複数の出力電圧の中の最大の出力電圧が前記電圧閾値より大きいか否かを検出し、前記電圧閾値より大きい場合、前記電圧変換係数が、事前に設定された、１より小さい値であると確定し、前記電圧閾値より大きくない場合、前記電圧変換係数が１であると確定すること、
を特徴とする請求項１に記載のワイヤレス充電方法。
【請求項３】
前記端末が、前記複数の出力電圧と電圧閾値に基づいて、電圧変換係数を確定し、前記ワイヤレス充電器に充電要求を送信することは、
端末は、前記ワイヤレス充電器に、前記要求電圧及び事前に設定されている初期電流を送信することと、
端末は、前記ワイヤレス充電器の現時点の出力している無線信号の励振によって現時点の充電信号を生成し、現時点のワイヤレス充電器の出力パワーと前記端末の充電パワーをそれぞれ計算することと、
端末は、現時点のワイヤレス充電器の出力パワーと前記端末の充電パワーに基づいて、現在、異物検査メカニズム（ＦＯＤ）イベントが発生しているか否かを検出し、異物検査メカニズムイベントが発生している場合、充電を停止し、異物検査メカニズムイベントが発生しない場合、事前に設定されているステップ幅に従い、要求電流を上げ、前記ワイヤレス充電器に、前記要求電圧及び引き上げた要求電流を含む充電要求を送信し、かつまた、戻して、現時点のワイヤレス充電器の出力した実際の出力電流が前記要求電圧に対応する出力電流の上限値に到達するまで、前記現時点のワイヤレス充電器の出力パワーと前記端末の充電パワーをそれぞれ計算するステップを実施することと、
を含むことを特徴とする請求項１に記載のワイヤレス充電方法。
【請求項４】
前記ワイヤレス充電器より出力された無線信号の励振によって、前記端末が充電信号を生成した後に、
端末は、低ドロップアウトレギュレータ（ＬＤＯ）を用いて、前記充電信号に対して直流電圧の安定化を行うことと、
をさらに含むことを特徴とする請求項１〜３のいずれか１項に記載のワイヤレス充電方法。
【請求項５】
前記要求電流は前記ＬＤＯのサポートしている電流閾値より大きくないことを特徴とする請求項４に記載のワイヤレス充電方法。
【請求項６】
端末であって、
電源管理チップのサポートしている電圧閾値と、ワイヤレス充電器のサポートしている複数の出力電圧及びそれに対応する出力電流の上限値とを取得するように構成される取得モジュールと、
前記複数の出力電圧と電圧閾値に基づいて、電圧変換係数を確定し、前記ワイヤレス充電器に充電要求を送信するように構成される要求モジュールと、
前記ワイヤレス充電器より出力されている無線信号の励振によって充電信号を生成するように構成される生成モジュールと、
前記電圧変換係数と電流変換係数に基づいて、前記充電信号に対して電圧電流の変換を行い、前記電源管理チップの入力信号を得るように構成される処理モジュールと、
を含み、ここで、前記充電要求は、要求電圧と要求電流を含み、前記要求電圧は、前記電圧閾値と前記電圧変換係数の逆数との乗積より大きくない最大の出力電圧であり、前記要求電流は、前記要求電圧に対応される出力電流の上限値より大きくなく、前記充電信号の電圧は前記要求電圧であり、前記電流変換係数は前記電圧変換係数の逆数である、
ことを特徴とする前記端末。
【請求項７】
前記要求モジュールは、
前記複数の出力電圧の中の最大の出力電圧が前記電圧閾値より大きいか否かを検出し、前記電圧閾値より大きい場合、前記電圧変換係数が、事前に設定された、１より小さい値であると確定し、前記電圧閾値より大きくない場合、前記電圧変換係数が１であると確定するように構成される検出ユニット、
を含むことを特徴とする請求項６に記載の端末。
【請求項８】
前記要求モジュールは、送信ユニットと処理ユニットとを含み、
前記送信ユニットは、端末が前記ワイヤレス充電器に前記要求電圧と、事前に設定されている初期電流を送信するように構成され、
前記生成モジュールは、具体的に、前記ワイヤレス充電器の現時点の出力された無線信号の励振によって現時点の充電信号を生成し、現時点のワイヤレス充電器の出力パワーと前記端末の充電パワーをそれぞれ計算するように構成され、
前記処理ユニットは、現時点のワイヤレス充電器の出力パワーと前記端末の充電パワーに基づいて、現在、異物検査メカニズム（ＦＯＤ）イベントが発生しているか否かを検出し、異物検査メカニズムイベントが発生している場合、充電を停止し、異物検査メカニズムイベントが発生しない場合、事前に設定されているステップ幅に従い、要求電流を上げ、前記ワイヤレス充電器に、前記要求電圧及び引き上げた要求電流を含む充電要求を送信し、現時点のワイヤレス充電器の出力した実際の出力電流が前記要求電圧に対応する出力電流の上限値に到達するまで、前記生成モジュールが再度、前記現時点のワイヤレス充電器の出力パワーと前記端末の充電パワーをそれぞれ計算するステップを実施するように指示するように構成されること、
を特徴とする請求項６に記載の端末。
【請求項９】
前記端末は、
低ドロップアウトレギュレータ（ＬＤＯ）を用いて、前記充電信号に対して直流電圧の安定化を行うように構成される電圧安定化モジュール、
をさらに含むことを特徴とする請求項６〜８のいずれか１項に記載の端末。
【請求項１０】
前記要求電流は前記ＬＤＯのサポートしている電流閾値より大きくないことを特徴とする請求項９に記載の端末。
【請求項１１】
端末であって、
コンピュータプログラムを実行して請求項１〜５のいずれか１項に記載のワイヤレス充電方法のステップを実施するためのプロセッサと、
前記コンピュータプログラムを記憶するための記憶装置と、
を含むことを特徴とする前記端末。
【請求項１２】
コンピュータ読み取り可能な記憶媒体であって、
プロセッサによって実行されて、請求項１〜５のいずれか１項に記載のワイヤレス充電方法のステップを実行するためのコンピュータプログラムが記憶されていることを特徴とする前記コンピュータ読み取り可能な記憶媒体。
【発明の詳細な説明】
【技術分野】
【０００１】
本発明の実施例は通信分野に関し、特にワイヤレス充電方法及び端末に関する。
【背景技術】
【０００２】
（関連出願との相互参照）
本発明は、２０１７年７月３１日に出願された中国特許出願第２０１７１０６４１２９４．Ｘ号の優先権を主張するものであり、その内容全体が参照により本明細書に組み込まれる。
【０００３】
ワイヤレス充電技術の発展に伴い、多くのウェアラブルデバイス及びスマート端末を含む、ますます多くの端末は、ワイヤレス充電技術を利用し始めている。具体的に、被充電端末はワイヤレス充電の受信端として、ワイヤレス充電の送信端から送信された無線信号に対して変換処理を実施し、それに対応する充電信号を得る。該充電信号は、電源管理チップが端末の電池に充電するために、電源管理チップの入力信号を提供するように用いられる。ワイヤレス充電技術において、充電のパワーと効率を高めるために、下記の二つの技術案を採用する必要がある。一つは、電圧を変化させないように保持する状況において、ワイヤレス充電信号の電流を増やすことによって、パワーを高めることである。もう一つは、電流を変化させないように保持する状況において、出力電圧を増やすことによって、パワーの引き上げを実現する。
【０００４】
但し、上記の二つの技術案において、最初の技術案としては、端末の受信コイルの直流インピーダンスと交流インピーダンスの存在の原因で、電流が所定の閾値を超えたら、コイルはひどく発熱してしまい、そのため、電流を継続的に増大させることで、パワーを引き上げる効果は限られている。第２の技術案としては、端末内の充電を担当する電源管理チップが入力電圧に制限をかけているため、電圧を増大させることによってパワーを引き上げることも制限がある。そのため、端末の受信コイルと電源管理チップによる制限の原因で、現行のワイヤレス充電の技術案は、パワーの引き上げを有効に実現することができない。
【発明の概要】
【０００５】
本発明の実施例は、ワイヤレス充電方法及び端末を提供する。前記技術案は下記の通りである。
【０００６】
本発明の実施例の第１様態によって、ワイヤレス充電方法を提供し、該方法は、
端末は、電源管理チップのサポートしている電圧閾値と、ワイヤレス充電器のサポートしている複数の出力電圧及びそれに対応する出力電流の上限値とを取得することと、
端末は、前記複数の出力電圧と電圧閾値に基づいて、電圧変換係数を確定し、前記ワイヤレス充電器に充電要求を送信することと、
端末は、前記ワイヤレス充電器より出力されている無線信号の励振によって充電信号を生成し、前記電圧変換係数と電流変換係数に基づいて、前記充電信号に対して電圧電流の変換を行い、前記電源管理チップの入力信号を得ることと、
を含み、ここで、前記充電要求は、要求電圧と要求電流を含み、前記要求電圧は、前記電圧閾値と前記電圧変換係数の逆数との乗積より大きくない最大の出力電圧であり、前記要求電流は、前記要求電圧に対応される出力電流の上限値より大きくなく、前記充電信号の電圧は前記要求電圧であり、前記電流変換係数は前記電圧変換係数の逆数である。
【０００７】
本発明の実施例の第２様態によって、端末を提供し、該端末は、
電源管理チップのサポートしている電圧閾値と、ワイヤレス充電器のサポートしている複数の出力電圧及びそれに対応する出力電流の上限値とを取得するように構成される取得モジュールと、
前記複数の出力電圧と電圧閾値に基づいて、電圧変換係数を確定し、前記ワイヤレス充電器に充電要求を送信するように構成される要求モジュールと、
前記ワイヤレス充電器より出力されている無線信号の励振によって充電信号を生成するように構成される生成モジュールと、
前記電圧変換係数と電流変換係数に基づいて、前記充電信号に対して電圧電流の変換を行い、前記電源管理チップの入力信号を得るように構成される処理モジュールと、
を含み、ここで、前記充電要求は、要求電圧と要求電流を含み、前記要求電圧は、前記電圧閾値と前記電圧変換係数の逆数との乗積より大きくない最大の出力電圧であり、前記要求電流は、前記要求電圧に対応される出力電流の上限値より大きくなく、前記充電信号の電圧は前記要求電圧であり、前記電流変換係数は前記電圧変換係数の逆数である。
【０００８】
本発明の実施例の第３様態によって端末を提供し、該端末は、
プロセッサと、
コンピュータプログラムを記憶するための記憶装置と、
を含み、ここで、前記プロセッサは、上記のような前記方法のステップを実行する。
【０００９】
本発明の実施例の第４様態によって、コンピュータ読み取り可能な記憶媒体を提供し、プロセッサによって実行される時に、上記のような前記方法のステップを実現するコンピュータプログラムが記憶されている。
【００１０】
本発明の実施例に提供されている技術案は下記のような効果がある。
【００１１】
ワイヤレス充電が必要な場合、端末は、電源管理チップのサポートしている電圧閾値と電圧変換係数の逆数との乗積に基づいて、ワイヤレス充電器に要求する必要のある要求電圧を確定し、ワイヤレス充電器のサポートしている出力パワーに基づいて、ワイヤレス充電器に要求する必要のある要求電流を確定する。本技術案の要求電圧は、従来の技術と比べて、電源管理チップのサポートしている電圧閾値に完全に制限されず、それによってハイパワーでの高速充電を実現する。さらに、本技術案において、充電信号を電源管理チップに出力する前に、それに対して電圧電流の変換をまず実施し、それによって、電源管理チップの制限要求を満たすことができるだけではなく、同時にハイパワーでの高速充電も実現することができる。したがって、ワイヤレス充電中の信号がハイパワーの要求を満たすとともに、異なる方面の要求を満たすことができ、充電の効率を有効に高めて、充電時間を減少する。
【００１２】
上記の一般的な説明と後述の詳細説明は、単なる例示的及び説明的なものに過ぎず、本発明を限定するものではないことを理解すべきである。
【図面の簡単な説明】
【００１３】
【図１Ａ】例示的な実施例によって示されているワイヤレス充電方法のフローチャートである。
【図１Ｂ】例示的な実施例によって示されているワイヤレス充電方法のフローチャートである。
【図１Ｃ】例示的な実施例によって示されているワイヤレス充電方法のフローチャートである。
【図１Ｄ】例示的な実施例によって示されているワイヤレス充電方法のフローチャートである。
【図２Ａ】例示的な実施例によって示されている端末の構成図である。
【図２Ｂ】例示的な実施例によって示されている端末の構成図である。
【図２Ｃ】例示的な実施例によって示されている端末の構成図である。
【図３】例示的な実施例によって示されている端末のブロック図である。
【図４】例示的な実施例によって示されている端末のブロック図である。
【図５】例示的な実施例によって示されている端末の構成図である。
【発明を実施するための形態】
【００１４】
上記の図面は明細書の一部として明細書に組み込まれ、本発明の実施例を示し、明細書と共に本発明の原理を解釈することに用いられる。
【００１５】
ここで、例示的な実施例を詳しく説明し、その具体例は図面に示されている。以下の記載が図面に係った場合、明示的にその他の説明がある以外に、異なる図面における同じ数値は、同様又は類似な要素と示している。下記の例示的な実施例に記載されている実施形態は、本発明の実施例と一致しているすべての実施形態になっているとは限らない。逆に、それらは、単に特許請求の範囲に詳しく記載されているように、本発明の実施例におけるいくつかの様態と一致している端末と方法の例に過ぎない。
【００１６】
図１Ａは、例示的な実施例によって示されているワイヤレス充電方法のフローチャートである。図１Ａに示すように、本実施例については、該ワイヤレス充電方法を端末に適用した例を挙げて説明する。該ワイヤレス充電方法は、下記のステップ１０１〜１０３を含む。
【００１７】
ステップ１０１において、端末は、電源管理チップのサポートしている電圧閾値と、ワイヤレス充電器のサポートしている複数の出力電圧及びそれに対応する出力電流の上限値とを取得する。
【００１８】
ステップ１０２において、端末は、前記複数の出力電圧と電圧閾値に基づいて、電圧変換係数を確定し、前記ワイヤレス充電器に充電要求を送信する。ここで、前記充電要求は、要求電圧と要求電流を含み、前記要求電圧は、前記電圧閾値と前記電圧変換係数の逆数との乗積より大きくない最大の出力電圧であり、前記要求電流は、前記要求電圧に対応される出力電流の上限値より大きくない。
【００１９】
ステップ１０３において、端末は、前記ワイヤレス充電器より出力されている無線信号の励振によって充電信号を生成し、前記電圧変換係数と電流変換係数に基づいて、前記充電信号に対して電圧電流の変換を行い、前記電源管理チップの入力信号を得る。ここで、前記充電信号の電圧は前記要求電圧であり、前記電流変換係数は前記電圧変換係数の逆数である。
【００２０】
実際の応用において、該端末は、例えば、スマートフォン、パソコン、タブレットなどのようなワイヤレス充電をサポートする任意の装置であっても良い。前記ワイヤレス充電器は、ワイヤレス充電のための無線信号を出力することができる任意の装置であっても良い。具体的な例を挙げて説明すると、ワイヤレス充電器は、充電器、及び該充電器にカップリングする無線送信端を含むことが可能であり、ここで、ワイヤレス充電のための無線信号を出力するために、無線送信端は充電器に操作される。
【００２１】
実際の場面を結合して例を挙げて説明すると、本技術案は、例えば、磁気誘導に基づくワイヤレス充電技術と、磁気共鳴に基づくワイヤレス充電技術のような異なるワイヤレス充電技術に応用することができる。磁気誘導のワイヤレス充電技術を例として、その充電の無線信号のパワーは、通常１５Ｗ以下である。充電の効率を引き上げるために、無線信号のパワーを高める必要があり、通常、信号パワーは、ワイヤレス充電器より出力される電圧と電流との乗積に依存する。本技術案において、ワイヤレス充電が必要である場合、ワイヤレス充電の受信端、例えば端末は、自分自身の電源管理チップのサポートしている電圧閾値と、ワイヤレス充電器のサポートしている異なる出力電圧及び対応する出力電流の上限値とを取得する。例を挙げて説明すると、仮にある端末より取得された、自分の電圧管理チップのサポートしている電圧閾値が１０Ｖとし、あるワイヤレス充電器が５Ｖ／３Ａ、９Ｖ／２Ａ及び２０Ｖ／１Ａという３つのレベルの出力をサポートしているとした場合、端末は、取得された電圧閾値と出力電圧に基づいて、電圧変換係数を確定し、ここでの電圧変換係数は、事前に設定されても良く、具体的に、電圧変換係数は１より大きくではない。上記を結合して例を挙げると、仮に電圧変換係数が１／２である場合、端末は、ワイヤレス充電器に充電要求を送信し、該充電要求は要求電圧と要求電流を含み、ここで、要求電圧の大きさは、電圧閾値と電圧変換係数の逆数との乗積の最大の出力電圧に依存する。上記を結合して例を挙げると、電圧閾値である１０Ｖと、電圧変換係数の逆数である２との乗積は２０Ｖであり、しかもワイヤレス充電器のサポートしている出力の中の最大の出力電圧は２０Ｖであり、乗積を超えず、そのため、要求電圧が２０Ｖであると確定する。ここで、要求電流を確定する技術案は、現行のワイヤレス充電の技術案での要求電流の確定に関する技術案を参照しても良く、具体的に、本技術案の要求電流は、２０Ｖの出力電圧に対応される出力電流の上限値である１Ａを超えない。端末が充電要求を送信した後に、ワイヤレス充電器から出力された無線信号の励振によって充電信号を生成し、電圧変換係数、及び前記電圧変換係数と逆数関係である電流変換係数に基づいて、充電信号の電圧と電流に対して変換を行い、電源管理チップ要求を満たす入力信号を得る。上記の例を結合すれば、即ち、充電信号の電圧と電圧変換係数である１／２と掛け算し、充電信号の電流と電流変換係数２と掛け算して、得られた電圧は１０Ｖより大きくないので、電源管理チップの要求を満たし、パワーの高い入力信号でハイパワーでの高速充電を実現する。
【００２２】
ここで、ワイヤレス充電器のサポートしている出力パワーと、電源管理チップのサポートしている電圧閾値に基づいて、変換が必要であるか否かを確定することができる。それに応じて、図１Ｂを示すように、図１Ｂは、もう一つの例示的な実施例によって示されているワイヤレス充電方法のフローチャートである。図１Ａに示されている実施形態の上で、ステップ１０２において、端末は、前記複数の出力電圧と電圧閾値に基づいて、電圧変換係数を確定することは、ステップ１０２１を含むことが可能である。
【００２３】
ステップ１０２１において、端末は、前記複数の出力電圧の中の最大の出力電圧が前記電圧閾値より大きいか否かを検出し、前記電圧閾値より大きい場合、前記電圧変換係数が、事前に設定された、１より小さい値であると確定し、そうではない場合、前記電圧変換係数が１であると確定する。
【００２４】
具体的に、ワイヤレス充電器がハイパワー出力をサポートしているとした場合、端末が、ワイヤレス充電器より出力されている無線信号の励振によって生成された充電信号パワーも比較的高く、本技術案において、充電信号の電圧が高く、充電信号の電圧が電源管理チップのサポートしている電圧閾値を超えたら、所定の変換比例に従い、前記充電信号に対して電圧変換を行って、電圧変換後の信号の電圧を電圧閾値の以下にさせ、同時に逆の変換比例に従い、充電信号に対して電流変換を行って、変換後の信号にハイパワーの特徴を保持させ、それによって電源管理チップの入力信号を得る。
【００２５】
さらに具体的に、ワイヤレス充電器が低パワー出力だけをサポートしているとした場合、端末がワイヤレス充電器出力の無線信号の励振によって生成された充電信号パワーも低く、それに応じて、通常、電源管理チップの電圧要求範囲内において、充電信号の電圧が電源管理チップのサポートしている電圧閾値を超えていない場合、このような信号に対して、変換する必要がなく、充電信号をそのまま電源管理チップの入力信号とし、それによって電源管理チップの入力信号を取得する。
【００２６】
実際応用において、電荷ポンプを用いて充電信号に対して電圧電流の変換を行う。具体的に、電圧変換係数は、ワイヤレス充電器の出力パワーと電源管理チップの電圧閾値に基づいて確定することができ、変換後の入力信号パワーが変わらなく、電圧が電源管理チップの要求を満たすようにする。
【００２７】
実際場面を例として説明すると、ワイヤレス充電の送信端は、急速充電技術（Ｑｕｉｃｋ  ｃｈａｒｇｅ）をサポートする充電器、又はＰＤ充電器、又は普通のワイヤレス充電器を使用しても良い。ワイヤレス充電を行う時に、送信端と被充電の受信端は、認証検査を経てから、受信端は、送信端が高圧高速のワイヤレス充電をサポートしていることが検出された場合、送信端のサポートしている出力パワーに基づいて、それに対応する無線信号を申請し、同じく、電源管理チップの電圧閾値Ｖｍａｘ＝１０Ｖを例として説明する。
【００２８】
１）仮に送信端がＱｕｉｃｋ  ｃｈａｒｇｅをサポートしているとした場合、最大、１２Ｖ／２Ａを出力する無線信号をサポートし、受信端は自分自身のサポートしている電流の大きさに基づいて、受信された無線信号の電流に対して調整し、１２Ｖ／１．２５Ａの充電信号を得る。この時に、該充電信号に対して電圧電流の変換を行い、電圧が約６Ｖで、電流が２．５Ａである信号を得る。該信号のパワーと充電信号のパワーが同じであり、電圧が電圧閾値１０Ｖより小さい。以降、該信号を用いて、電源管理チップの入力信号６Ｖ／２．５Ａ（１５Ｗ）として充電を行うことができる。
【００２９】
２）仮に送信端がＰＤ充電器を使用するとした場合、最大、２０Ｖの無線信号の出力、例えば２０Ｖ／１Ａをサポートし、送信端の無線信号に基づいて、受信端は２０Ｖ／１Ａの充電信号を得ることができる。この時に、該充電信号に対して電圧電流の変換を行い、電圧が約１０Ｖで、電流が２Ａである信号を得る。該信号のパワーと充電信号のパワーが同じであり、電圧が電圧閾値１０Ｖを超えておらず、その後、該信号を用いて電源管理チップの入力信号１０Ｖ／２Ａ（２０Ｗ）として充電を行うことができる。
【００３０】
３）仮に送信端が高圧高速の充電をサポートしていないとした場合、最大、１０Ｖを出力する無線信号、例えば、５Ｖ／２Ａをサポートし、受信端は、自分自身のサポートしている電流の大きさに基づいて、受信された無線信号の電流に対して調整し、５Ｖ／１．２５Ａの充電信号を得ることができる。この時に、電圧電流の変換を必要とせず、充電信号を電源管理チップの入力信号として、そのまま充電を行う。
【００３１】
上記の実施形態によって、ワイヤレス充電器のサポートしている出力パワーと、電源管理チップのサポートしている電圧に基づいて、電圧変換係数を確定することができ、それによって充電信号に対して電圧電流の変換を行うか否かを確定し、必要とされない処理が避けられ、充電の効率を高めることができる。
【００３２】
さらに、要求電圧と電圧変換係数を確定した後に、要求電流の確定に関する技術案は、幾つかの実施形態によって実現されることができる。例を挙げて説明すると、端末は、ワイヤレス充電器との何回かのインタラクションをしてネゴシエーションを通して最終的な要求電流を確定することができる。それに応じて、図１Ｃに示すように、図１Ｃは、さらに一つの例示的な実施例によって示されているワイヤレス充電方法のフローチャートであり、前記の任意の一つの実施形態の上で、ステップ１０２は、ステップ１０２２〜１０２４を含むことが可能である。
【００３３】
ステップ１０２２において、端末は、前記ワイヤレス充電器に、前記要求電圧及び事前に設定されている初期電流を送信する。
【００３４】
ステップ１０２３において、端末は、前記ワイヤレス充電器の現時点の出力している無線信号の励振によって現時点の充電信号を生成し、現時点のワイヤレス充電器の出力パワーと前記端末の充電パワーをそれぞれ計算する。
【００３５】
ステップ１０２４において、端末は、現時点のワイヤレス充電器の出力パワーと前記端末の充電パワーに基づいて、現在、異物検査メカニズム（ＦＯＤ）イベントが発生しているか否かを検出し、異物検査メカニズムイベントが発生している場合、充電を停止し、そうではない場合、事前に設定されているステップ幅に従い、要求電流を上げ、前記ワイヤレス充電器に、前記要求電圧及び引き上げた要求電流を含む充電要求を送信し、かつまた、戻して、現時点のワイヤレス充電器の出力した実際の出力電流が前記要求電圧に対応する出力電流の上限値に到達するまで、前記現時点のワイヤレス充電器の出力パワーと前記端末の充電パワーをそれぞれ計算するステップを実施する。
【００３６】
実際場面を例として説明すると、ワイヤレス充電器の出力パワーと電圧変換係数に基づいて、要求電圧を確定した後に、端末は、ワイヤレス充電器に、該要求電圧と、事前に設定されている初期電流を送信し、通常、この時の初期電流が小さく、ワイヤレス充電器は、端末より送信された要求電圧と初期電流に基づいて、無線信号を出力し、端末は、現時点のワイヤレス充電器より出力されている無線信号に基づいて、充電信号を生成し、現時点のワイヤレス充電器の出力パワーと端末の充電パワーをそれぞれ計算し、この二つのパワーに基づいて、現在、異物検査メカニズム（ＦＯＤと略称する）イベントが発生しているか否かを検出し、異物検査メカニズムイベントが発生していない場合、現時点のワイヤレス充電器の出力している実際の電流が、それのサポートしている前記要求電圧に対応している出力電流の上限値に到達するまで、事前に設定されているステップ幅、例えば、１００ミリアンペア（ｍＡ）に基づいて、要求電流を少しずつ上げ、上げた要求電流と前記要求電圧をワイヤレス充電器に送信し、ワイヤレス充電器の出力パワーを引き上げるようにする。
【００３７】
ここで、ＦＯＤ検査は、異物検査メカニズムであり、例を挙げて説明すると、ＷＰＣのサポートしている作業周波数帯が金属物への加熱効果が生じることがあるため、ワイヤレス充電器と端末との相対位置が遠く離れている場合、充電の効率が低下するようになり、ひどく発熱してしまい、この場合では、ＦＯＤメカニズムがトリガーされる可能性がある。それに応じて、ＦＯＤイベントの発生が検出された場合、充電を停止する。具体的に、本技術案におけるＦＯＤメカニズムは、ワイヤレス充電分野の既存のＦＯＤメカニズムの技術案を参照しても良く、本実施例においては、それ以上述べない。
【００３８】
本実施形態において、何回かのインタラクションをしてネゴシエーションを通して、少しずつ要求電流を上げ、部品の安全な使用を確保する上で、ハイパワーでの高速充電を実現する。
【００３９】
実際応用において、充電の信頼性と安定性を向上させ、端末への損耗を避けるために、電圧管理チップに入力された信号に対して電圧の安定化処理を行うことができる。選択肢として、図１Ｄに示すように、図１Ｄはさらに一つの例示的な実施例によって示されているワイヤレス充電方法のフローチャートであり、上記の任意の実施形態の上で、ステップ１０３において、前記ワイヤレス充電器より出力された無線信号の励振によって、前記端末が充電信号を生成した後に、さらにステップ１０４を含む。
【００４０】
ステップ１０４において、端末は、低ドロップアウトレギュレータを用いて、前記充電信号に対して直流電圧の安定化を行う。
【００４１】
具体的に、ワイヤレス充電器より出力された無線信号の励振によって、端末は、充電信号を生成し、低ドロップアウトレギュレータ（ＬＤＯ：ｌｏｗ  ｄｒｏｐｏｕｔ  ｒｅｇｕｌａｔｏｒ）を用いて、該充電信号に対して直流電圧の安定化処理を行い、そしてから、電圧変換係数と電流変換係数に基づいて、電圧の安定化処理後の充電信号に対して電圧電流の変換処理を行い、電源管理チップの入力信号を取得し、ハイパワーでの高速充電を実現する。
【００４２】
さらに、上記の実施形態において、正常動作のＬＤＯは、信号の電流への一定の制限と要求があり、そのため、この時に要求電流がＬＤＯのサポートしている電流閾値を考慮して確定する必要があり、即ち、充電信号の電流をＬＤＯの電流閾値の制限内にする必要があることを考慮することである。それに応じて、上記の実施形態の上で、さらに要求電流をＬＤＯのサポートしている電流閾値より大きくないようにする必要がある。
【００４３】
本実施例に提供されるワイヤレス充電方法において、ワイヤレス充電が必要になる場合、端末は、電源管理チップのサポートしている電圧閾値と電圧変換係数の逆数との乗積に基づいて、ワイヤレス充電器に要求する必要のある要求電圧を確定し、ワイヤレス充電器のサポートしている出力パワーに基づいて、ワイヤレス充電器に要求する必要のある要求電流を確定し、本技術案の要求電圧は、従来の技術と比べて、電源管理チップのサポートしている電圧閾値に完全に制限されず、それによって、ハイパワーでの高速充電を実現し、本技術案において、充電信号を電源管理チップに出力する前に、それに対してまず電圧電流の変換を行い、それによって電源管理チップの制限要求を満たすことができるだけではなく、同時にハイパワーでの高速充電も実現することができ、ワイヤレス充電中の信号がハイパワーの要求を満たすとともに、異なる方面の要求を満たすことができ、充電の効率を有効に高めて、充電時間を減少する。
【００４４】
図２Ａは、例示的な実施例によって示されている端末の構成図である。図２Ａに示すように、該端末は、取得モジュール２１と、要求モジュール２２と、生成モジュール２３と、処理モジュール２４とを含む。
【００４５】
取得モジュール２１は、電源管理チップのサポートしている電圧閾値と、ワイヤレス充電器のサポートしている複数の出力電圧及びそれに対応する出力電流の上限値とを取得するように構成される。
【００４６】
要求モジュール２２は、前記複数の出力電圧と電圧閾値に基づいて、電圧変換係数を確定し、前記ワイヤレス充電器に充電要求を送信するように構成され、ここで、前記充電要求は、要求電圧と要求電流を含み、前記要求電圧は、前記電圧閾値と前記電圧変換係数の逆数との乗積より大きくない最大の出力電圧であり、前記要求電流は、前記要求電圧に対応される出力電流の上限値より大きくない。
【００４７】
生成モジュール２３は、前記ワイヤレス充電器より出力されている無線信号の励振によって、充電信号を生成するように構成される。
【００４８】
処理モジュール２４は、前記電圧変換係数と電流変換係数に基づいて、前記充電信号に対して電圧電流の変換を行い、前記電源管理チップの入力信号を得るように構成され、ここで、前記充電信号の電圧は前記要求電圧であり、前記電流変換係数は前記電圧変換係数の逆数である。
【００４９】
実際の応用において、該端末は、例えば、スマートフォン、パソコン、タブレット等のようなワイヤレス充電をサポートする任意の装置であっても良い。前記ワイヤレス充電器は、ワイヤレス充電のための無線信号を出力することができる任意の装置であっても良い。例を上げて説明すると、ワイヤレス充電器は、充電器と無線送信端を含むことができる。
【００５０】
実際場面を結合して例をあげて説明すると、ワイヤレス充電が必要である場合、取得モジュール２１は、端末の電源管理チップのサポートしている電圧閾値、ワイヤレス充電器のサポートしている異なる出力電圧及び対応する出力電流の上限値とを取得し、要求モジュール２２は、取得された電圧閾値と出力電圧に基づいて電圧変換係数を確定し、ここでの電圧変換係数は、事前に設定されても良く、具体的に、電圧変換係数は１より大きくではなく、要求モジュール２２は、ワイヤレス充電器に充電要求を送信し、該充電要求は要求電圧と要求電流を含み、ここで、要求電圧の大きさは、電圧閾値と電圧変換係数の逆数との乗積の最大の出力電圧によるものであり、ここで、要求電流は、前記要求電圧に対応されている出力電流の上限値より大きくない。要求モジュール２２が充電要求を送信した後に、生成モジュール２３は、ワイヤレス充電器より出力された無線信号の励振によって充電信号を生成し、処理モジュール２４は、電圧変換係数、及び前記電圧変換係数と逆数関係である電流変換係数に基づいて、充電信号の電圧と電流に対して変換を行い、電源管理チップ要求を満たす入力信号を得って、ハイパワーでの高速充電を実現する。
【００５１】
ここで、ワイヤレス充電器のサポートしている出力パワーと、電源管理チップのサポートしている電圧閾値に基づいて、変換が必要であるか否かを確定することができる。それに応じて、図２Ｂに示すように、図２Ｂは、もう一つの例示的な実施例によって示されている端末の構成図であり、図２Ａに示されている実施形態の上で、要求モジュール２２は、
前記複数の出力電圧の中の最大の出力電圧が前記電圧閾値より大きいか否かを検出し、前記電圧閾値より大きい場合、前記電圧変換係数が、事前に設定された、１より小さい値であると確定し、そうではない場合、前記電圧変換係数が１であると確定するように構成される検出ユニット２１１、を含むことが可能である。
【００５２】
具体的に、ワイヤレス充電器がハイパワー出力をサポートするとした場合、生成モジュール２３は、ワイヤレス充電器より出力されている無線信号の励振によって生成された充電信号パワーも高く、検出ユニット２１１は、電圧変換係数を１より小さい値に設定し、処理モジュール２４が所定の変換比例に従って前記充電信号に対して電圧の変換を行うようにする。電圧変換後の信号の電圧を電圧閾値より大きくないようにさせ、同時に逆の変換比例に従い、充電信号に対して電流変換を行い、変換後の信号にハイパワーの特徴を保持させ、それによって電源管理チップの入力信号を得る。
【００５３】
さらに具体的に、ワイヤレス充電器が低パワー出力だけをサポートしているとした場合、生成モジュール２３は、ワイヤレス充電器出力の無線信号の励振によって生成された充電信号パワーも低く、それに応じて、通常、電源管理チップの電圧要求範囲内において、充電信号の電圧が電源管理チップのサポートしている電圧閾値を超えていない場合、このような信号に対して、変換する必要がなく、検出ユニット２１１が電圧変換係数を１に設定することによって、処理モジュール２４は、そのまま充電信号を電源管理チップの入力信号と見なし、それによって電源管理チップの入力信号を得る。実際応用において、処理モジュール２４は、電荷ポンプを用いて充電信号に対して電圧電流の変換を行うことができる。
【００５４】
上記の実施形態によって、ワイヤレス充電器のサポートしている出力パワーと、電源管理チップのサポートしている電圧に基づいて、電圧変換係数を確定することができ、それによって充電信号に対して電圧電流の変換を行うか否かを確定し、必要とされない処理を避け、充電の効率を向上させる。
【００５５】
さらに、要求電圧と電圧変換係数を確定してから、要求電流を確定する技術案は幾つかの実施形態によって実現されることができる。例を挙げて説明すると、端末は、ワイヤレス充電器との何回かのインタラクションをしてネゴシエーションを通して最終的な要求電流を確定することができる。それに応じて、図２Ｃに示すように、図２Ｃは、もう一つの例示的な実施例によって示されている端末の構成図であり、上記の任意の実施形態の上で、要求モジュール２２は、送信ユニット２２２と、処理ユニット２２３とを含むことができる。
【００５６】
送信ユニット２２２は、端末が前記ワイヤレス充電器に前記要求電圧と、事前に設定されている初期電流を送信するように構成される。
【００５７】
生成モジュール２３は、具体的に、前記ワイヤレス充電器の現時点の出力された無線信号の励振によって現時点の充電信号を生成し、現時点のワイヤレス充電器の出力パワーと前記端末の充電パワーをそれぞれ計算するように構成される。
【００５８】
処理ユニット２２３は、現時点のワイヤレス充電器の出力パワーと前記端末の充電パワーに基づいて、現在、異物検査メカニズム（ＦＯＤ）イベントが発生しているか否かを検出し、異物検査メカニズムイベントが発生している場合、充電を停止し、そうではない場合、事前に設定されているステップ幅に従い、要求電流を上げ、前記ワイヤレス充電器に、前記要求電圧及び引き上げた要求電流を含む充電要求を送信し、現時点のワイヤレス充電器の出力した実際の出力電流が、前記要求電圧に対応する出力電流の上限値に到達するまで、生成モジュール２３が再度、前記現時点のワイヤレス充電器の出力パワーと前記端末の充電パワーをそれぞれ計算するステップを実施するように指示するように構成される。
【００５９】
実際場面を例として説明すると、要求モジュール２２は、ワイヤレス充電器の出力パワーと電圧変換係数に基づいて、要求電圧を確定した後に、送信ユニット２２２は、ワイヤレス充電器に、該要求電圧と、事前に設定されている初期電流を送信し、通常、この時の初期電流が小さく、ワイヤレス充電器は、端末より送信された要求電圧と初期電流に基づいて、無線信号を出力し、生成モジュール２３は、現時点のワイヤレス充電器より出力されている無線信号に基づいて、充電信号を生成し、現時点のワイヤレス充電器の出力パワーと端末の充電パワーをそれぞれ計算し、処理ユニット２２３は、この二つのパワーに基づいて、現在、異物検査メカニズム（ＦＯＤと略称する）イベントが発生しているか否かを検出し、異物検査メカニズムイベントが発生していない場合、現時点のワイヤレス充電器の出力している実際の電流が、それのサポートしている前記要求電圧に対応している出力電流の上限値に到達するまで、事前に設定されているステップ幅、例えば、１００ミリアンペア（ｍＡ）に基づいて、要求電流を少しずつ上げ、上げた要求電流と前記要求電圧をワイヤレス充電器に送信し、ワイヤレス充電器の出力パワーを引き上げるようにする。
【００６０】
本実施形態において、何回かのインタラクションをしてネゴシエーションを通して要求電流を少しずつ上げ、部品の安全な使用を確保する上で、ハイパワーでの高速充電を実現する。
【００６１】
実際応用において、充電の信頼性と安定性を向上させ、端末への損耗を避けるために、電圧管理チップに入力した信号に対して電圧の安定化処理を行うことができる。選択肢として、上記の任意の実施形態の上で、前記端末は、
低ドロップアウトレギュレータＬＤＯを用いて、前記充電信号に対して直流電圧の安定化を行うように構成される電圧安定化モジュール、
をさらに含むことができる。
【００６２】
具体的に、ワイヤレス充電器より出力された無線信号の励振によって、生成モジュール２３は、充電信号を生成し、電圧安定化モジュールは、低ドロップアウトレギュレータ（ＬＤＯ：ｌｏｗ  ｄｒｏｐｏｕｔ  ｒｅｇｕｌａｔｏｒ）を用いて、該充電信号に対して直流電圧の安定化処理を行い、処理モジュール２４は、電圧変換係数と電流変換係数に基づいて、電圧安定化モジュールによって電圧の安定化処理された充電信号に対して電圧電流の変換処理を行い、電源管理チップの入力信号を取得し、ハイパワーでの高速充電を実現する。
【００６３】
さらに、上記の実施形態において、正常動作のＬＤＯは、信号の電流への一定の制限と要求があり、そのため、この時に要求電流がＬＤＯのサポートしている電流閾値を考慮して確定する必要があり、即ち、充電信号の電流をＬＤＯの電流閾値の制限内にする必要があることを考慮することである。それに応じて、上記の実施形態の上で、さらに要求電流をＬＤＯのサポートしている電流閾値より大きくないようにする必要がある。
【００６４】
本実施例に提供される端末は、ワイヤレス充電が必要になる場合、端末は、電源管理チップのサポートしている電圧閾値と電圧変換係数の逆数との乗積に基づいて、ワイヤレス充電器に要求する必要のある要求電圧を確定し、ワイヤレス充電器のサポートしている出力パワーに基づいて、ワイヤレス充電器に要求する必要のある要求電流を確定し、本技術案の要求電圧は、従来の技術と比べて、電源管理チップのサポートしている電圧閾値に完全に制限されず、それによって、ハイパワーでの高速充電を実現し、本技術案において、充電信号を電源管理チップに出力する前に、それに対してまず電圧電流の変換を行い、それによって電源管理チップの制限要求を満たすことができるだけではなく、同時にハイパワーでの高速充電も実現することができ、ワイヤレス充電中の信号がハイパワーの要求を満たすとともに、異なる方面の要求を満たすことができ、充電の効率を有効に高めて、充電時間を減少する。
【００６５】
以上に記載されている端末は、上記のワイヤレス充電方法を実施することに用いられる。
【００６６】
図３に示すように、図３は、例示的な実施例によって示されている端末のブロック図であり、図３に示すように、該端末は、
コンピュータプログラムを実行して上記のような任意の一つの実施例に記載されているワイヤレス充電方法のステップを実施するプロセッサと、
前記コンピュータプログラムを記憶するための記憶装置と、
を含むことが可能である。
【００６７】
本実施例に提供されている端末としては、ワイヤレス充電が必要な場合、端末は、電源管理チップのサポートしている電圧閾値と電圧変換係数の逆数との乗積に基づいて、ワイヤレス充電器に要求する必要のある要求電圧を確定し、ワイヤレス充電器のサポートしている出力パワーに基づいて、ワイヤレス充電器に要求する必要のある要求電流を確定し、本技術案の要求電圧は、従来の技術と比べて、電源管理チップのサポートしている電圧閾値に完全に制限されず、それによってハイパワーでの高速充電を実現し、本技術案において、充電信号を電源管理チップに出力する前に、それに対して電圧電流の変換をまず実施し、それによって、電源管理チップの制限要求を満たすことができるだけではなく、同時にハイパワーでの高速充電も実現することができる。ワイヤレス充電中の信号がハイパワーの要求を満たすとともに、異なる方面の要求を満たすことができ、充電の効率を有効に高めて、充電時間を減少する。
【００６８】
図４は、例示的な実施例によって示されている端末４００のブロック図である。例えば、装置４００は、携帯電話、コンピュータ、タブレット装置、携帯情報端末等であっても良い。
【００６９】
図４を参照し、装置４００は、下記の処理コンポーネント４０２、記憶装置４０４、電源コンポーネント４０６、マルチメディアコンポーネント４０８、オーディオコンポーネント４１０、Ｉ／Ｏインターフェース４１２、センサコンポーネント４１４、及び通信コンポーネント４１６のうちの一つ又は複数のコンポーネントを含むことが可能である。
【００７０】
処理コンポーネント４０２は、通常、装置４００の全体操作、例えば、表示、電話コール、データ通信、カメラ操作及び記録操作と関係する操作を制御する。処理コンポーネント４０２は、上記の全部又は一部のステップを完成させるように、一つ又は複数のプロセッサ４２０を含んで命令を実行することが可能である。それ以外、処理コンポーネント４０２は、処理コンポーネント４０２とその他のコンポーネントとのインタラクションのために、一つ又は複数のモジュールを含むことが可能である。例えば、マルチメディアコンポーネント４０８と処理コンポーネント４０２とのインタラクションのために、処理コンポーネント４０２はマルチメディアモジュールを含んでも良い。
【００７１】
記憶装置４０４は、装置４００の操作をサポートするために各種タイプのデータを記憶するように構成される。これらのデータは、例示的に、装置４００で操作するためのあらゆるアプリケーション又は方法の命令、連絡先データ、電話帳データ、メッセージ、画像、ビデオなどを含む。記憶装置４０４は、任意の揮発性記憶装置、不揮発性記憶装置、又はそれらの組み合わせで実現することが可能であり、例えば、静的なランダムアクセスメモリ（ＳＲＡＭ）、電気的消去可能、プログラム可能な読み取り専用な記憶装置（ＥＥＰＲＯＭ）、消去可能、プログラム可能な読み取り専用な記憶装置（ＥＰＲＯＭ）、プログラム可能な読み取り専用な記憶装置（ＰＲＯＭ）、読み取り専用な記憶装置（ＲＯＭ）、磁気記憶装置、フラッシュ記憶装置、磁気ディスク又は光ディスクである。
【００７２】
電源コンポーネント４０６は、装置４００の各種のコンポーネントに電力を提供する。電源コンポーネント４０６は、電源管理システム、一つ又は複数の電源、及び装置４００への電力の生成、管理及び割り当てと関係しているその他のコンポーネントを含むことが可能である。
【００７３】
マルチメディアコンポーネント４０８は、前記装置４００とユーザとの間における出力インターフェースを提供するスクリーンを含む。幾つかの実施例において、スクリーンは、液晶ディスプレー（ＬＣＤ）とタッチパネル（ＴＰ）を含むことができる。スクリーンがタッチパネルを含む場合、ユーザからの入力信号を受けるために、スクリーンはタッチスクリーンとして実現することが可能である。タッチパネルは、タッチ、スライド及びタッチパネル上での手振りを感知するために、１個又は複数のタッチセンサを含む。前記タッチセンサは、タッチ或いはスライドの動作の境界を感知することができるだけではなく、前記タッチ或いはスライドの操作に関連する持続時間と圧力も感知する。幾つかの実施例において、マルチメディアコンポーネント４０８は、一つの前置撮影カメラ及び／又は後置撮影カメラを含む。装置４００が操作モード、例えば、撮影モード又はビデオモードである場合、前置撮影カメラ及び／又は後置撮影カメラは、外部マルチメディアのデータを受け取ることができる。個々の前置撮影カメラ及び後置撮影カメラは、一つの固定の光学レンズシステムであっても良く、又はフォーカルレングス及び光学可変焦点の能力を備える。
【００７４】
オーディオコンポーネント４１０は、オーディオ信号を入力及び／又は出力するように構成される。例えば、オーディオコンポーネント４１０は、一つのマイク（ＭＩＣ）を含み、装置４００が操作モードである場合、例えばコールモード、記録モード及び音声認識モードである場合、マイクは、外部オーディオ信号を受け取るように構成される。受け取られたオーディオ信号は、さらに記憶装置４０４に記憶され、又は通信コンポーネント４１６を介して送信することができる。幾つかの実施例において、オーディオコンポーネント４１０はさらに、一つのスピーカーを含み、オーディオ信号を出力するように用いられる。
【００７５】
Ｉ／Ｏインターフェース４１２は、処理コンポーネント４０２と周辺インターフェースモジュールとの間に、インターフェースを提供し、上記の周辺インターフェースモジュールは、キーボード、クリックホイール、ボタンなどであっても良い。これらのボタンは、ホームページのボタン、ボリュームボタン、起動ボタン及びロックボタンを含むことが可能であるが、それらを限定しない。
【００７６】
センサコンポーネント４１４は、１個又は複数のセンサを含み、端末４００に各種の状態評価を提供するために用いられる。例えば、センサコンポーネント４１４は、端末４００の開／閉状態、コンポーネントの相対定位を検出することができ、例えば、前記コンポーネントが装置４００のディスプレイとキーボードである。センサコンポーネント４１４はさらに、装置４００又は装置４００の一つのコンポーネントの位置変化、ユーザと装置４００とのタッチがあるか否か、装置４００の位置又は加速／減速、及び装置４００の温度変化も検出することができる。センサコンポーネント４１４は、近接センサを含むことができ、いずれの物理的な接触をせずに、周囲の物体の存在を検出するために用いられるように構成される。センサコンポーネント４１４はさらに光センサ、例えばＣＭＯＳ又はＣＣＤ画像センサを含むことができ、撮像アプリケーションで使用することに用いられる。幾つかの実施例において、該センサコンポーネント４１４はさらに、加速度センサ、ジャイロセンサ、磁気センサ、圧力センサ又は温度センサを含むことが可能である。
【００７７】
通信コンポーネント４１６は、装置４００とその他のデバイスとの間に有線又は無線方式の通信を有利にさせるように構成される。装置４００は、通信規格に基づく無線ネットワーク、例えばＷｉＦｉ、２Ｇ又は３Ｇ、或いはそれらの組み合わせにアクセスすることができる。一つの例示的な実施例において、通信コンポーネント４１６は、ブロードキャストチャネルを介して、外部ブロードキャスト管理システムからのブロードキャスト信号を受信し、又は相関情報をブロードキャストする。一つの例示的な実施例において、前記通信コンポーネント４１６はさらに、近距離無線通信（ＮＦＣ）モジュールを含み、短距離通信を促進させる。例えば、ＮＦＣモジュールは、無線周波数識別（ＲＦＩＤ）技術、赤外線データ通信（ＩｒＤＡ）技術、超広帯域無線（ＵＷＢ）技術、ブルートゥース（登録商標）（ＢＴ）技術及びその他の技術に基づいて実現されることが可能である。
【００７８】
例示的な実施例において、装置４００は、１個又は複数のアプリケーション専用集積回路（ＡＳＩＣ）、デジタルシグナルプロセッサ（ＤＳＰ）、デジタル信号処理デバイス（ＤＳＰＤ）、プログラム可能なロジックデバイス（ＰＬＤ）、フィールドプログラマブルゲートアレイ（ＦＰＧＡ）、コントローラ、マイクロコントローラ、マイクロプロセッサー又はその他の回路によって実現されることが可能であり、上記の方法を実行することに用いられる。
【００７９】
例示的な実施例において、さらに、命令を含む非一時的コンピュータ読み取り可能な記憶媒体、例えば、命令を含む記憶装置４０４を提供し、上記命令は、装置４００のプロセッサ４２０によって実行され、上記方法を完成させる。例えば、前記非一時的コンピュータ読み取り可能記憶媒体は、ＲＯＭ、ＣＤ−ＲＯＭ、磁気テープ、フロッピーディスク及び光学データ記憶装置などであっても良い。
【００８０】
非一時的コンピュータ読み取り可能な記憶媒体であって、プロセッサによって実行される場合、上記の任意の実施例に記載されているワイヤレス充電方法のステップを実行するコンピュータプログラムが記憶されている。
【００８１】
図５は、例示的な実施例によって示されている端末の実際の構成図であり、図５に示すように、上記の実施例の上で、該端末はさらに、ＬＤＯ５１、電源管理チップ５２、及び電池５３を含み、ここで、ＬＤＯ５１は、端末の生成された充電信号を受信するように用いられ、ＬＤＯ５１は、処理モジュール２４と接続し、処理モジュール２４は電源管理チップ５２と接続し、電源管理チップ５２は電池５３と接続し、電源管理チップ５２は、処理モジュール２４の取得した入力信号に基づいて、電池５３に充電するように構成される。
【００８２】
具体的に、端末は、ワイヤレス充電器より出力された無線信号の励振によって充電信号を生成してから、ＬＤＯ５１によって電圧の安定化処理を行った後に、端末の処理モジュール２４に出力し、処理モジュール２４は、該充電信号を電源管理チップに提供する前に、まずそれを処理し、処理後の信号電圧を電源管理チップの要求を満たし、即ち、電源管理チップのサポートしている出力電圧の電圧閾値を超えないように、信号の電流を増大させ、その後、処理後の信号を電源管理チップ５２の入力信号として電源管理チップ５２に提供し、電源管理チップ５２は、入力信号に基づいて電池５３に充電をし、同時に端末のシステムに給電することもできる。実際応用において、端末は、通信と制御モジュールをさらに含むことが可能であり、該モジュールは、前記各モジュールの間の情報転送を実現して電源管理チップ５２での充電を制御することができる。
【００８３】
さらに具体的に、端末内の各モジュールは、図５に示されているような具体的な電気回路によって実現されることができる、ここで、Ｌｓは受信コイルであり、Ｃｓは直列接続のキャパシタンスであり、Ｃｄは所定の周波数、例えば１ＭＨｚの検査キャパシタンスに対応し、Ｃｍは、変調キャパシタンスであり、Ｒｍは、負荷変調抵抗である。ブリッジ整流器は、交流信号を直流信号に整流するように用いられ、通信制御モジュールは、各モジュールを制御して電源管理チップ５２と通信するように用いられ、ＬＤＯ５１より出力された信号を処理モジュール２４を経由して電圧電流の変換をしてから、電源管理チップ５２の入力信号とする。入力信号に基づいて、電源管理チップ５２は電池５３への充電を担当し、システムへ給電する。なお、図に示されている具体的な回路は、単なる例示的な実施可能な形態に過ぎず、各モジュールのその他の実現形態を限定するものではない。
【００８４】
本実施例に提供されている端末は、ワイヤレス充電が必要な場合、端末は、電源管理チップのサポートしている電圧閾値と電圧変換係数の逆数との乗積に基づいて、ワイヤレス充電器に要求する必要のある要求電圧を確定し、ワイヤレス充電器のサポートしている出力パワーに基づいて、ワイヤレス充電器に要求する必要のある要求電流を確定し、本技術案の要求電圧は、従来の技術と比べて、電源管理チップのサポートしている電圧閾値に完全に制限されず、それによってハイパワーでの高速充電を実現し、本技術案において、充電信号を電源管理チップに出力する前に、それに対して電圧電流の変換をまず実施し、それによって、電源管理チップの制限要求を満たすことができるだけではなく、同時にハイパワーでの高速充電も実現することができる。ワイヤレス充電中の信号がハイパワーの要求を満たすとともに、異なる方面の要求を満たすことができ、充電の効率を有効に高めて、充電時間を減少する。
【００８５】
当業者にとって、説明の便利と簡潔のため、上記に説明している端末の具体的な作業フローは、上記方法の実施例に対応されているフローを参照することができることは明白である。
【００８６】
当業者は、明細書を考慮し、及びここで開示されている発明を実施した後、本発明のその他の実施形態を容易に想到し得ることになる。本出願は、本発明のいずれの変形、用途又は適切な変化をカバーすることを意図し、これらの変形、用途、又は適切な変化は、本発明の一般性の原理に従い、そして本発明の開示されていない本技術分野における技術常識又は慣用技術も含む。明細書と実施例は、単なる例示的なものと見なされ、本発明の範囲と精神は特許請求範囲によって示される。
【００８７】
なお、本発明は、上記に記載されて、図面に示されている明確な構成に限らず、その範囲を逸脱せず各種の改修と変形を行うことができる。本発明の範囲は、特許請求範囲のみによって制限される。
【産業上の利用可能性】
【００８８】
本発明の実施例に提供されている技術案は下記のような効果がある。ワイヤレス充電が必要な場合、端末は、電源管理チップのサポートしている電圧閾値と電圧変換係数の逆数との乗積に基づいて、ワイヤレス充電器に要求する必要のある要求電圧を確定し、ワイヤレス充電器のサポートしている出力パワーに基づいて、ワイヤレス充電器に要求する必要のある要求電流を確定する。本技術案の要求電圧は、従来の技術と比べて、電源管理チップのサポートしている電圧閾値に完全に制限されず、それによってハイパワーでの高速充電を実現する。さらに、本技術案において、充電信号を電源管理チップに出力する前に、それに対して電圧電流の変換をまず実施し、それによって、電源管理チップの制限要求を満たすことができるだけではなく、同時にハイパワーでの高速充電も実現することができる。したがって、ワイヤレス充電中の信号がハイパワーの要求を満たすとともに、異なる方面の要求を満たすことができ、充電の効率を有効に高めて、充電時間を減少する。
【図１Ａ】
2019527526.tif 000003
【図１Ｂ】
2019527526.tif 000004
【図１Ｃ】
2019527526.tif 000005
【図１Ｄ】
2019527526.tif 000006
【図２Ａ】
2019527526.tif 000007
【図２Ｂ】
2019527526.tif 000008
【図２Ｃ】
2019527526.tif 000009
【図３】
2019527526.tif 000010
【図４】
2019527526.tif 000011
【図５】
2019527526.tif 000012
【国際調査報告】
2019527526.tif 000013
2019527526.tif 000014
2019527526.tif 000015
2019527526.tif 000016